(57)【特許請求の範囲】
【請求項１】
ロック孔が形成された柱体に相対昇降可能に取り付けられるロックベースと、前記ロックベースに長手方向に移動可能且つ長手方向軸廻りに回動可能に設けられて前記ロック孔に突入するロック位置と前記ロック孔から抜け出るアンロック位置とをとり得るロックピンと、前記ロックベースに設けられて前記ロックピンを常時ロック位置側に付勢する弾性体と、前記ロックベースに揺動可能に設けられて前記ロックピンをアンロック位置にし得る操作レバーと、前記ロックピンと前記操作レバーとの係合を解除する解除機構と、を備え、
前記解除機構は、前記ロックピンに設けられて該ロックピンを外部から回動操作可能な回動操作体と、前記ロックピンに設けられて前記操作レバーと係合可能な鍔片と、を含み、前記操作レバーの先部が前記ロックピンの軸部と離間して形成されるとともに、前記鍔片が前記ロックピンの軸部から半径方向所定方向にのみ延びており、前記ロックピンが所定回転角度範囲にある時に、該操作レバーの先部と前記鍔片のロック側面とが係合するように構成されていることを特徴とするテント用ロック装置。
【請求項２】
前記ロックピンが所定回転角度範囲にある時に前記操作レバーの先部と前記鍔片のアンロック側面とが係合することにより、前記操作レバーをアンロック側位置に保持するとともに前記ロックピンをロック位置に保持するインターロック機構を更に備えることを特徴とする請求項１に記載のテント用ロック装置。
【請求項３】
前記弾性体の弾性力に抗し前記ロックピンのアンロック位置において前記回動操作体を支持する突起が前記ロックベースに突設されていることを特徴とする請求項２に記載のテント用ロック装置。
【発明の詳細な説明】
【技術分野】
【０００１】
本発明は、主としてテントを構成する柱体と梁体との間や柱体の外筒と内筒との間に用いられ、とりわけロックピンを備えたテント用ロック装置の改良に関する。
【背景技術】
【０００２】
従来、この種のテント用ロック装置としては、例えば特許文献１や特許文献２に記載されたものが知られている。
【０００３】
当該テント用ロック装置は、基本的には、ロック孔が設けられた柱体に相対昇降可能に設けられたロックベースと、ロックベースに長手方向に移動可能に設けられてロック孔に突入するロック位置とロック孔から抜け出るアンロック位置とをとり得るロックピンと、ロックベースに設けられてロックピンを常時ロック位置に付勢する弾性体と、ロックベースに揺動可能に設けられてロックピンをアンロック位置に作動し得る操作レバーと、ロックピンをロック位置に動かないように保持し得るロック保持手段と、から構成されている。
【０００４】
而して、この様なものは、柱体とロックベースを相対昇降させてロック孔とロックピンが合致したならば、弾性体に依りロックピンがロック孔に突入されてロック位置になり、柱体とロックベースとの相対昇降が阻止される。
【０００５】
この様な状態から、弾性体に抗して操作レバーを揺動させると、ロックピンがロック孔から抜け出てアンロック位置にされ、柱体とロックベースとの相対昇降が許容される。
【０００６】
ロック保持手段が作動されると、ロックピンがロック位置において動かないように保持される。この為、操作レバーを誤操作してロックピンをアンロック位置にしようとしても、ロックピンがロック保持手段に依りロック位置に軸方向移動不能に保持されているので、柱体とロックベースとの相対昇降が阻止される。
【０００７】
ロックピンと操作レバーとは常に係合状態にあり、ロック保持手段によりロックピンがロック位置に保持された状態では、操作レバーをアンロック側へ揺動操作しようとしても、ロック保持手段によりロックピンがロック位置に保持されて動かないため、ロックピンに係合している操作レバーも揺動操作することができず、その結果、誤ってロック状態が解除される事がなく、安全性が確保される。
【先行技術文献】
【特許文献】
【０００８】
【特許文献１】特許第４５４２１２９号公報
【特許文献２】特許第４８３３３１５号公報
【発明の概要】
【発明が解決しようとする課題】
【０００９】
しかしながら、ロック保持手段によりロックピンがロック位置に保持された状態で、操作レバーがアンロック側へ誤って強い力に依り無理矢理操作されると、ロックピンがロック位置に保持されて動かないと共に、これに依って操作レバーも動かないので、操作レバーが折れ曲がったりして構成部品の損傷や作動不良を生じるという問題があった。
【００１０】
本発明は、上記問題点を解消するため、ロックピンがロック位置にある時に操作レバーがアンロック側へ誤って強い力に依り操作されても、構成部品の損傷や作動不良が生じないテント用ロック装置を提供することを主たる目的とする。
【課題を解決するための手段】
【００１１】
上記目的を達成するため、本発明に係るテント用ロック装置は、ロック孔が形成された柱体に相対昇降可能に取り付けられるロックベースと、前記ロックベースに長手方向に移動可能且つ長手方向軸廻りに回動可能に設けられて前記ロック孔に突入するロック位置と前記ロック孔から抜け出るアンロック位置とをとり得るロックピンと、前記ロックベースに設けられて前記ロックピンを常時ロック位置側に付勢する弾性体と、前記ロックベースに揺動可能に設けられて前記ロックピンをアンロック位置にし得る操作レバーと、前記ロックピンと前記操作レバーとの係合を解除する解除機構と、を備え、前記解除機構は、前記ロックピンに設けられて該ロックピンを外部から回動操作可能な回動操作体と、前記ロックピンに設けられて前記操作レバーと係合可能な鍔片と、を含み、前記操作レバーの先部が前記ロックピンの軸部と離間して形成されるとともに、前記鍔片が前記ロックピンの軸部から半径方向所定方向にのみ延びており、前記ロックピンが所定回転角度範囲にある時に、該操作レバーの先部と前記鍔片のロック側面とが係合するように構成されていることを特徴とする。
【００１３】
本発明に係るテント用ロック装置は、前記ロックピンが所定回転角度範囲にある時に前記操作レバーの先部と前記鍔片のアンロック側面とが係合することにより、前記操作レバーをアンロック側位置に保持するとともに前記ロックピンをロック位置に保持するインターロック機構を更に備えることが好ましい。
【００１５】
前記弾性体の弾性力に抗し前記ロックピンのアンロック位置において前記回動操作体を支持する突起が前記ロックベースに突設されていることが好ましい。
【発明の効果】
【００１６】
本発明によれば、前記解除機構により操作レバーとロックピンとの係合を解除しておけば、操作レバーがフリーになるため、操作レバーをアンロック側へ誤って強い力に依り操作しても、構成部品の損傷や作動不良を誘発するおそれがない。
【００１７】
また、前記インターロック機構により、前記ロックピンをロック位置に保持するとともに前記操作レバーをアンロック側位置に保持することにより、ロックピンをロック位置の保持した後、操作レバーをアンロック側へ操作し得ない。
【図面の簡単な説明】
【００１８】
【図１】本発明に係るテント用ロック装置の一実施形態を示す分解斜視図である。
【図２】ロックベースの蓋体とロックピンと操作レバーとを示す分解斜視図である。
【図３】ロックピンが操作レバーと係合しロック位置にある状態を示す縦断側面図である。
【図４】図３の縦断背面図である。
【図５】柱体の外筒とロックベースと外筒側摺動体との取付状態を示す縦断正面図である。
【図６】柱体の外筒と内筒と嵌合状態を示す横断平面図である。
【図７】ロックピンが操作レバーと係合しアンロック位置にある状態を示す縦断側面図である。
【図８】ロックピンと操作レバーとの係合が解除されている状態を示す縦断側面図である。
【図９】図８の縦断背面図である。
【図１０】操作レバーが突起に支持されてロックピンがアンロック位置に保持されている状態を示す縦断側面図である。
【図１１】ロックピンをロック位置に保持するとともに操作レバーをアンロック側位置に保持した状態を示す縦断側面図である。
【発明を実施するための形態】
【００１９】
以下、本発明に係るテント用ロック装置の一実施形態を、図１〜図１１を参照して説明する。尚、図１において、上側が上側、下側が下側、右上側が前側、左下側が後側、右下側が右側、左上側が左側と規定する。
【００２０】
図１〜図１１において、テント用ロック装置１は、ロック孔４を備える柱体２に取り付けられるもので、ロックベース３、ロックピン５、弾性体６、及び操作レバー７を備えている。
【００２１】
柱体２は、テントの構造体（フレーム）を為すもので、この例では、上下方向に長尺なアルミニウム等の金属製にしてあり、外筒１１とこれに摺動可能に内嵌される内筒１２とを備えている。
【００２２】
外筒１１は、断面略正方形の角筒状を呈して居り、下部の左右両側には、掛合孔１３が穿設されていると共に、後側には、ロック孔４に連通する通孔１４が穿設されている。
【００２３】
内筒１２は、外筒１１より小径で同じく断面略正方形の角筒状を呈し、内側四隅には、断面略正方形の補強リブ１５を備えている。
【００２４】
外筒１１の下部には、これに取付けられて内筒１２を摺動可能に案内する為の外筒側摺動体１６が設けられていると共に、内筒１２の上部には、これに取付けられて外筒１１を摺動可能に案内する為の内筒側摺動体１７が設けられている。
【００２５】
外筒側摺動体１６は、合成樹脂製にしてあり、外筒１１の下端に当合される四枠状の枠片１８と、これの各辺に立設されて外筒１１の下部内側に位置して内筒１２の外面に摺接される四つの摺動片１９と、左右の摺動片１９に外向きに突設されて外筒１１の掛合孔１３に掛合される突起２０と、後側の摺動片１９に穿設されて外筒１１の通孔１４に連通する通孔２１とを備えている。
【００２６】
内筒側摺動体１７は、同じく合成樹脂製にしてあり、内筒１２の上端に当合される蓋片２２と、これの下側に連設されて内筒１２の上部内側に嵌入される嵌入片２３と、外筒摺動体１６の摺動片１９に干渉しない様に蓋片２２の四隅に突設されて外筒１１の内面に摺接される合計八つの摺動片２４とを備えている。
【００２７】
ロックベース３は、柱体２に相対昇降可能に設けられるもので、この例では、外筒１１に固定される合成樹脂製にしてあり、外筒１１に外嵌される角筒状の筒体２５と、これの後側に突設されて略半円状の収容腔が形成されて後方が開放された箱体２６と、これの後方を閉塞する蓋体２７とを備えている。
【００２８】
筒体２５の左右両側には、外筒１１の掛合孔１３に連通して外筒側摺動体１６の突起２０が掛合される掛合孔２８が形成されている。
【００２９】
筒体２５と蓋体２７には、ロックピン５を貫通して案内する為の案内孔２９が形成されている。
【００３０】
箱体２６の上部には、収容腔に連通されて操作レバー７が挿入される挿入孔３０が形成されている。
【００３１】
箱体２６の底壁には、内部に侵入した雨水等を外部へ排出し得る複数（二つ）の排出口３１が形成されている。
【００３２】
蓋体２７は、ビス等の止具３２に依り箱体２６に着脱可能に取付けられて居り、案内孔２９の前側には、これより大径で弾性体６の一側を支持する為の受孔３３が形成されていると共に、後面には、ロックピン５と操作レバー７との係合解除状態を示す「ＯＮ」の文字と、ロックピン５と操作レバー７との係合状態を示す「ＯＦＦ」の文字と回動方向を示す「両矢印」の図形が表記されている。
【００３３】
ロック孔４は、柱体２に設けられたもので、この例では、内筒１２に設けられて居り、適数のものが内筒１２の後側の長手方向（上下方向）に所定間隔を置いて穿設されている。図面では、一つだけを示している。
【００３４】
ロックピン５は、ロックベース３に長手方向に移動可能に設けられてロック孔４に突入するロック位置とロック孔４から抜け出るアンロック位置とをとり得るもので、この例では、アルミニウム等の金属製で略円柱状を呈して居り、ロックベース３の案内孔２９に前後方向に移動可能且つ前後方向軸廻りに回動可能に設けられている。
【００３５】
ロックピン５の前側には、窪所が形成されてここには合成樹脂製で円柱状の摺接片３４が前側を除いて嵌合されている。ロックピン５の中程には、ロックピン５の軸部から半径方向所定方向（図示例では、ロックピン５の軸部を挟んで反対側２方向）に延びる鍔片３５が形成されている。ロックピン５の後部には、両側が切除されて取付片３６が形成されている。
【００３６】
弾性体６は、ロックベース３に設けられてロックピン５を常時ロック位置に付勢するもので、この例では、スプリング鋼等の金属製で圧縮型の円錐コイルスプリングにしてあり、ロックピン５に後側から外挿されると共に、ロックピン５の鍔片３５とロックベース３の蓋体２７の受孔３３との間に介設されて居り、ロックピン５を常に前側に付勢している。
【００３７】
ロックピン５の後側には、ロックピン５を外側から回動操作するための回動操作体４１が設けられている。回動操作体４１は、合成樹脂製で略半円板状を呈して居り、前側には受穴が窪設されてここにはロックピン５の取付片３６が挿入され、ビス等の取付具４５に依り着脱可能に取付けられる。
【００３８】
操作レバー７は、ロックベース３に揺動可能に設けられてロックピン５をアンロック位置に移動させ得るもので、この例では、アルミニウム等の金属製で板状を呈するレバー片３７と、これの中程に折曲して形成されたボス片３８と、レバー片３７の上部に一体的に付設されて合成樹脂製で略半円板状を呈する操作片３９とを備えている。
【００３９】
操作レバー７のレバー片３７とボス片３８は、ロックベース３の挿入孔３０に挿入される。ボス片３８は、左右方向の支軸（ボルト）４０に依りロックベース３に対して前後方向に揺動（横軸廻りに回動）可能に取付けられる。
【００４０】
そして、レバー片３７の先部が、支軸４０とロックピン５の軸部との間で、ロックピン５の軸部から離間した位置にあって、ロックピン５が軸回りに所定回転角度範囲にあるときにのみ鍔片３５のロック側面３５ａと係合するように構成されることにより、ロックピン５が前記所定回転角度範囲外にあるときにはロックピンの長手方向移動を許容しつつロックピン５と操作レバー７との係合が解除される解除機構が構成されている。
【００４１】
従って、レバー片３７の先部が鍔片３５のロック側面３５ａと係合しているとき、すなわち、解除機構が機能していないときは、操作レバー７は、ロックピン５をロック位置にし得るロック側（図３参照）からアンロック位置にし得るアンロック側（図７参照）に、弾性体６の弾性力に抗して移動させる事ができる。
【００４２】
一方、レバー片３７の先部が鍔片３５と係合していないとき、すなわち、解除機構が機能しているときは、操作レバー７は、フリーな状態となり、弾性体６によってロック位置に弾性付勢されているロックピン５をアンロック位置の側（図７参照）に移動させることができない。
【００４３】
ロックピン５と操作レバー７との係合位置及び係合解除位置でロックピン５の回動を規制する回動規制機構４２が、ロックベース３とロックピン５との間に設けられている。回動規制機構４２は、ロックベース３に設けられて、ロックピン５が操作レバー７と係合位置及び係合解除位置の時に回動操作体４１の一部が当合することで回動操作体４１及びロックピン５の回動を規制する突起４６を備えている。図示例では、回動操作体４１が水平状態の時にはロックピン５を操作レバー７と非係合位置にあり、回動操作体４１が垂直状態の時にはロックピン５を操作レバー７と係合位置にある様にされている。
【００４４】
回動操作体４１は、図３に示す如く、垂直状態の時には、ロックピン５の鍔片３５が垂直状態になってロックピン５と操作レバー７とが係合位置になり、この状態から図４に於て時計方向に９０度だけ回動して、図８に示す如く水平状態した時には、ロックピン５の鍔片３５が水平状態になってロックピン５が操作レバー７と非係合位置になる様にしてある（図９参照）。
【００４５】
突起４６は、略角柱状を呈し、ロックベース３の蓋体２７に後向きに突設されている。      
【００４６】
また、図１０に示すように、回動操作体４１を指で保持してロックピン５を弾性体６の弾性力に抗して引き出し、アンロック位置に保持した状態で回動操作体４１を軸線回りに少し回して突起４６の突端面に支持させる（載せる）ことにより、弾性体６の弾性力に抗して、ロックピン５をアンロック状態に維持することができるように、突起４６の長さ寸法が設定され得る。
【００４７】
ロックピン５を操作レバー７と非係合位置から係合位置まで回動するに連れてロックピン５をアンロック側へ所定距離だけ移動させるカム機構５０が備えられている。カム機構５０は、鍔片３５のロック側面３５ａに対向するロックベース３に形成されて、鍔片３５に当接して弾性体６に抗してロックピン５を所定距離だけロックピン５の長さ方向にシフトさせる、略半月状を呈するカム面５２を備えている。所定距離は、操作レバー７のレバー片３７の厚み以上にしてある。そうすることで、ロックピン５を非係合位置から係合位置に回動させた時に、鍔片３５がレバー片３７にオーバーラップしてレバー片３７と係合可能となる。
【００４８】
操作レバー７は、操作レバー弾性体５１により、常時ロック側へ付勢されている。操作レバー弾性体５１は、スプリング鋼等の金属製で圧縮型のねじりコイルスプリングにしてあり、巻部が操作レバー７の一方のボス片３８に隣接されて支軸４０に依り枢支されて居り、一端が操作レバー７の一方のレバー片３７の上部に掛止されていると共に、他端がロックベース３の箱体２６の上部に形成した凹部５３に掛止されている。
【００４９】
ロックピン５と操作レバー７とを非係合位置にしておいて、操作レバー７を指で押さえてアンロック側位置を保った状態で、回動操作体４１を操作してロックピン５を操作レバー７と係合位置に回動させたところで指を離すと、図１１に示すように、操作レバー７は、操作レバー弾性体５１に押されて鍔片３５のアンロック側面３５ｂ（図１参照）に係合し、アンロック側に保持される。こうして、ロックピン５をロック位置に保持するとともに操作レバー７をアンロック側に保持するインターロック機構が構成される。
【００５０】
前記インターロック機構により操作レバー７がアンロック側位置にあれば、操作レバー７をそれ以上アンロック側へ揺動させることはない。また、図示例では、操作レバー７をアンロック側へ揺動させようとしても、操作レバー７の操作片３９がロックベース３若しくは柱体２に当接する。このように、操作レバー７がアンロック側位置に保持され、操作片３９がロックベース３若しくは柱体２に近接した配置となり、操作レバー７と柱体２との間の隙間は指が入らない程に小さくなるため、操作者は、操作レバー７を無理にロック側へ移動させるような操作をしようとはせず、回動操作体４１を回動させてインターロック機構を解除しようとすることになる。すなわち、操作者は、インターロック機構が作動している状態を解除するには、回動操作体４１を９０°回転操作して鍔片３５と操作レバー７とを非係合状態にすればよいことを自ずと理解する。
【００５１】
次に、上記の様な構成に基づいてその作用を述解する。テント用ロック装置１は、次の様にして組立てられる。
【００５２】
操作レバー７のレバー片３７及びボス片３８と操作レバー弾性体５１の巻部とがロックベース３の挿入孔３０に挿入されると共に、操作レバー７のボス片３８と操作レバー弾性体５１の巻部とが支軸４０に依りロックベース３に揺動可能に取付けられる。操作レバー弾性体５１の一端が操作レバー７のレバー片３７の上部に掛止されると共に、他端がロックベース３の凹部５３に掛止される。
【００５３】
ロックピン５の後半に弾性体６が外挿されると共に、ロックピン５の後側がロックベース３の蓋体２７の案内孔２９に挿通された後、取付具４５に依りロックピン５の取付片３６に回動操作体４１が取付けられる。そして、ロックピン５がロックベース３の箱体２６内に挿入されてロックベース３の筒体２５の案内孔２９に挿通されると共に、止具３２に依りロックベース３の蓋体２７が箱体２６に固定される。
【００５４】
この様にして組立てられたテント用ロック装置１は、次の様にして柱体２の外筒１１に取り付けられる。
【００５５】
ロックピン５と操作レバー７とを係合させて操作レバー７をアンロック側に揺動操作することにより、図７に示すようにロックピン５をアンロック位置にする。又は、図１０に示すように回動操作体４１を突起４６に支持させてロックピン５をアンロック位置にする。
【００５６】
ロックピン５がアンロック位置にした状態で、柱体２の外筒１１の下部にロックベース３の筒体２５が外嵌されると共に、外筒１１の掛合孔１３とロックベース３の掛合孔２８、外筒１１の通孔１４とロックベース３の案内孔２９とが夫々合致される。そして、外筒側摺動体１６の突起２０を備えた摺動片１９が窄められて外筒１１の下部に挿入されると、外筒側摺動体１６の突起２０が摺動片１９の弾性復元力に依り外筒１１の掛合孔１３とロックベース３の掛合孔２８に掛合されると共に、外筒１１の通孔１４と外筒側摺動体１６の通孔２１が合致されてロックピン５がこれらの通孔１４，２１を経て外筒側摺動体１６の内側に突出可能にされる。
【００５７】
内筒側摺動体１７は、嵌入片２３を内筒１２の上部に嵌入する事に依り取付けられる。そして、柱体２の外筒１１の下方から内筒１２の上部が外筒１１の内部へ摺動可能に挿入される。
【００５８】
柱体２の内筒１２とロックベース３を相対昇降させてロック孔４とロックピン５が合致したならば、弾性体６に依りロックピン５がロック孔４に突入されてロック位置になり、柱体２の内筒１２とロックベース３との相対昇降が阻止される（図３参照）。
【００５９】
ロック孔４とロックピン５が合致しない場合は、ロックピン５の摺接片３４が柱体２の内筒１２の外面に摺接されるので、内筒１２が損傷される事がない。
【００６０】
この様な状態から、弾性体６及び操作レバー弾性体５１に抗して操作レバー７がアンロック側に揺動、つまり図３に於て支軸４０を中心として時計回り方向に揺動されると、ロックピン５がロック孔４から抜け出てアンロック位置にされ、柱体２の内筒１２とロックベース３との相対昇降が許容される（図７参照）。
【００６１】
図３及び図４に示す如く、回動操作体４１が垂直状態されると、ロックピン５の鍔片３５も垂直状態になって回動操作体４１と突起４６に依りロックピン５と操作レバー７とが係合位置にされる。この時、回動操作体４１の下右面と突起４６とが当合して回動操作体４１の回動（図４において反時計方向の回動）が阻止される。操作レバー７がアンロック側へ操作されると、操作レバー７と係合しているロックピン５がアンロック位置に移動させられる。
【００６２】
図８及び図９に示す如く、回動操作体４１が垂直状態から９０度だけ図９の時計回りに回動されて水平状態にされると、ロックピン５の鍔片３５も水平状態になって、操作レバー７と鍔片３５との係合が解除される。この時、回動規制機構４２の回動操作体４１の右下面と突起４６とが当合して回動操作体４１の回動（図９において時計回り方向の回動）が阻止される。従って、ロックピン５は弾性体６によりロック位置に弾性付勢された状態であるので、ロックピン５がロック孔４に嵌入されていると、柱体２の内筒１２とロックベース３との相対昇降が阻止される。
【００６３】
図１０に示す如く、回動操作体４１が垂直状態にされてロックピン５と操作レバー７とが係合解除状態において、操作レバー７を操作レバー弾性体５１に抗してアンロック側へ操作しても、操作レバー７は操作レバー弾性体５１以外に抵抗力を受けないので、破損したり折れ曲がったりすることはない。
【００６４】
回動規制機構４２は、ロックベース３との間に設けられて回動操作体４１の回動を水平状態から垂直状態までの９０度の角度範囲に規制する突起４６を備えているので、この突起４６の存在に依りこれを一見しただけで回動操作体４１の操作方向が判る。加えて、もし、回動操作体４１を水平状態にして足に依り踏んでこれを操作しようとしても、突起４６がある事に依り回動操作体４１の下動が物理的にも阻止され、これらの損傷等を防止する事ができる。
【００６５】
尚、先の例では、ロックベース３は、外筒１１に固定されると共に、ロック孔４は、内筒１２に設けられ、外筒１１には、ロックピン５を貫通する通孔１４が設けられていたが、これに限らず、例えばロックベース３は、外筒１１に対して昇降可能に設けられていると共に、ロック孔４は、外筒１１に設けられていても良い。この様にすれば、ロックベース３にテントの梁部材（図示せず）を取付けて柱体２と梁部材との間にロック装置１を設ける事ができる。
【００６６】
弾性体６や操作レバー弾性体５１は、先の例では、コイルスプリングであったが、これに限らず、例えば板バネやゴム等でも良い。
【００６７】
回動規制機構４２は、先の例では、回動操作体４１と突起４６とで構成したが、これに限らず、例えば特許文献１，２に示す如く、ロックピン５の鍔片３５と、ロックベース３に設けられた当片とで構成しても良い。
【００６８】
回動規制機構４２は、先の例では、ロックベース３の蓋体２７に突起４６を突設したが、これに限らず、例えばロックベース３の箱体２６に回動操作体４１の付け根部分（最大直径部分）を回動可能に覆う円筒を突設すると共に、この円筒内に突起４６を形成しても良い。
【符号の説明】
【００６９】
１  テント用ロック装置
２  柱体
３  ロックベース
４  ロック孔
５  ロックピン
６  弾性体
７  操作レバー
３５  鍔片
４１  回動操作体
【図１】
0005700455.tif 000002
【図２】
0005700455.tif 000003
【図３】
0005700455.tif 000004
【図４】
0005700455.tif 000005
【図５】
0005700455.tif 000006
【図６】
0005700455.tif 000007
【図７】
0005700455.tif 000008
【図８】
0005700455.tif 000009
【図９】
0005700455.tif 000010
【図１０】
0005700455.tif 000011
【図１１】
0005700455.tif 000012